(57)【特許請求の範囲】
【請求項１】
壁体に設けられた開口を該開口の壁厚方向一方側において開閉するように前記壁体の一方面に沿ってスライド自在に建て付けられる戸板と、
前記壁体の一方側の床側に配設され、前記戸板の荷重を受けて該戸板の下端側をガイドする下レールと、
前記壁体の一方側において前記開口の上縁部分に沿って取り付けられる壁側レール部材及びこの壁側レール部材に対してスライド自在に結合されて保持され、前記戸板の上端側に配設される戸側レール部材を有し、該戸板の上端側をガイドする上ガイド部材と、
を備えており、
前記壁側レール部材及び前記戸側レール部材のうちの一方には、閉鎖位置に移動する前記戸板を減速させる緩衝機構と全開位置に移動する前記戸板を減速させる緩衝機構とが設けられ、前記壁側レール部材及び前記戸側レール部材のうちの他方には、これら緩衝機構を作動させる作用部が設けられていることを特徴とする引戸装置。
【請求項２】
請求項１において、
前記壁側レール部材と前記戸側レール部材とは、これら壁側レール部材及び戸側レール部材のそれぞれに対してスライド自在に結合されて保持された中間レール部材を介して結合されていることを特徴とする引戸装置。
【請求項３】
壁体に設けられた開口を該開口の壁厚方向一方側において開閉するように前記壁体の一方面に沿ってスライド自在に建て付けられる戸板と、
前記壁体の一方側の床側に配設され、前記戸板の荷重を受けて該戸板の下端側をガイドする下レールと、
前記壁体の一方側において前記開口の上縁部分に沿って取り付けられる壁側レール部材及びこの壁側レール部材に対してスライド自在に結合されて保持され、前記戸板の上端側に配設される戸側レール部材を有し、該戸板の上端側をガイドする上ガイド部材と、
前記壁側レール部材及び前記戸側レール部材のうちの一方に設けられ、閉鎖位置及び全開位置のうちの少なくとも一方側に移動する前記戸板を減速させる緩衝機構と、
前記壁側レール部材及び前記戸側レール部材のうちの他方に設けられ、前記緩衝機構を作動させる作用部と、
を備えており、
前記壁側レール部材と前記戸側レール部材とは、これら壁側レール部材及び戸側レール部材のそれぞれに対してスライド自在に結合されて保持された中間レール部材を介して結合されていることを特徴とする引戸装置。
【請求項４】
請求項１乃至３のいずれか１項において、
前記戸側レール部材には、当該戸側レール部材に対する前記戸板の上下動を許容するように前記戸板の上端部を保持する保持部が設けられていることを特徴とする引戸装置。
【請求項５】
請求項４において、
前記戸側レール部材には、当該戸側レール部材に対して前記戸板を下方側に付勢する付勢部材が設けられていることを特徴とする引戸装置。
【発明の詳細な説明】
【技術分野】
【０００１】
本発明は、引戸装置に関する。
【背景技術】
【０００２】
従来より、壁体に設けられた出入口等となる開口をこの開口の壁厚方向一方側において開閉するように壁体の一方面に沿ってスライド自在に、いわゆるアウトセット納め状に建て付けられる引戸が知られている。このようなアウトセット納めとした場合には、引戸の上端側をガイドする上レールが壁面に沿うように取り付けられる。そのため、特に、引戸を閉鎖した状態では、開放された際に引戸が沿わせられる（納められる）側の壁面において上レールが目立ち易くなるという問題があった。
例えば、下記特許文献１には、床面に設けられた下部レールに下部両側の戸車が走行案内される戸パネルの上部案内装置が開示されている。この上部案内装置は、開口枠の上部外面に固定されるガイド枠と戸パネルの上端面に固定されるスライド枠との間にこれらに対して相対スライド可能な遊動ビームを設けた構成とされている。また、ガイド枠に、誘導ビームに設けられたローラが接当して遊動ビームの進出限界及び退入限界を規定するストッパー軸を設けた構成とされている。
【先行技術文献】
【特許文献】
【０００３】
【特許文献１】特開平９−２０９６４９号公報
【発明の概要】
【発明が解決しようとする課題】
【０００４】
しかしながら、上記特許文献１に記載された上部案内装置では、戸パネルが全開位置及び閉鎖位置に移動する際に、ストッパー軸に対する衝撃が大きくなることが考えられた。
【０００５】
本発明は、上記実情に鑑みてなされたものであり、戸板の上端側をガイドする部材を閉鎖位置において目立ち難くしながらも、閉鎖位置及び全開位置のうちの少なくとも一方側に移動する戸板の衝撃を緩和し得る引戸装置を提供することを目的としている。
【課題を解決するための手段】
【０００６】
上記目的を達成するために、本発明に係る引戸装置は、壁体に設けられた開口を該開口の壁厚方向一方側において開閉するように前記壁体の一方面に沿ってスライド自在に建て付けられる戸板と、前記壁体の一方側の床側に配設され、前記戸板の荷重を受けて該戸板の下端側をガイドする下レールと、前記壁体の一方側において前記開口の上縁部分に沿って取り付けられる壁側レール部材及びこの壁側レール部材に対してスライド自在に結合されて保持され、前記戸板の上端側に配設される戸側レール部材を有し、該戸板の上端側をガイドする上ガイド部材と、を備えており、前記壁側レール部材及び前記戸側レール部材のうちの一方には、閉鎖位置に移動する前記戸板を減速させる緩衝機構と全開位置に移動する前記戸板を減速させる緩衝機構とが設けられ、前記壁側レール部材及び前記戸側レール部材のうちの他方には、これら緩衝機構を作動させる作用部が設けられていることを特徴とする。
また、上記目的を達成するために、本発明に係る引戸装置は、壁体に設けられた開口を該開口の壁厚方向一方側において開閉するように前記壁体の一方面に沿ってスライド自在に建て付けられる戸板と、前記壁体の一方側の床側に配設され、前記戸板の荷重を受けて該戸板の下端側をガイドする下レールと、前記壁体の一方側において前記開口の上縁部分に沿って取り付けられる壁側レール部材及びこの壁側レール部材に対してスライド自在に結合されて保持され、前記戸板の上端側に配設される戸側レール部材を有し、該戸板の上端側をガイドする上ガイド部材と、前記壁側レール部材及び前記戸側レール部材のうちの一方に設けられ、閉鎖位置及び全開位置のうちの少なくとも一方側に移動する前記戸板を減速させる緩衝機構と、前記壁側レール部材及び前記戸側レール部材のうちの他方に設けられ、前記緩衝機構を作動させる作用部と、を備えており、前記壁側レール部材と前記戸側レール部材とは、これら壁側レール部材及び戸側レール部材のそれぞれに対してスライド自在に結合されて保持された中間レール部材を介して結合されていることを特徴とする。
【発明の効果】
【０００７】
本発明に係る引戸装置は、上述のような構成としたことで、戸板の上端側をガイドする部材を閉鎖位置において目立ち難くしながらも、閉鎖位置及び全開位置のうちの少なくとも一方側に移動する戸板の衝撃を緩和することができる。
【図面の簡単な説明】
【０００８】
【図１】（ａ）、（ｂ）は、本発明の一実施形態に係る引戸装置の一例を模式的に示し、（ａ）は、図２におけるＸ１−Ｘ１線矢視に対応させた一部破断概略縦断面図、（ｂ）は、図３におけるＹ−Ｙ線矢視に対応させた一部破断概略横断面図である。
【図２】同引戸装置の一例を施工した状態を模式的に示す一部破断概略正面図である。
【図３】図２に対応させた一部破断概略正面図である。
【図４】図３におけるＺ１部に対応させた一部破断概略分解背面図である。
【図５】（ａ）〜（ｃ）は、いずれも図２におけるＺ２部に対応させた一部を省略した一部破断概略正面図である。
【図６】（ａ）〜（ｃ）は、いずれも図３におけるＺ１部に対応させた一部を省略した一部破断概略正面図である。
【図７】本発明の他の実施形態に係る引戸装置の一例を模式的に示す図１（ａ）に対応させた一部破断概略縦断面図である。
【図８】（ａ）は、図７におけるＸ２−Ｘ２線矢視に対応させた一部破断概略分解縦断面図、（ｂ）は、（ａ）に対応させた一部破断概略縦断面図である。
【図９】（ａ）は、図７に対応させた一部を省略した一部破断概略分解縦断面図、（ｂ）は、同引戸装置の一部破断概略分解斜視図である。
【図１０】（ａ）は、図５（ａ）に対応させた一部を省略した一部破断概略縦断面図、（ｂ）は、図６（ａ）に対応させた一部を省略した一部破断概略縦断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る引戸装置を施工した状態を基準として上下方向等の方向を説明する。
【００１０】
図１〜図６は、第１実施形態に係る引戸装置の一例を模式的に示す図である。
本実施形態に係る引戸装置１は、図１〜図３に示すように、壁体２に設けられた開口３を開口３の壁厚方向一方側において開閉するように壁体２の一方面に沿ってスライド自在に建て付けられる戸板１０を備えている。つまり、この戸板１０は、壁体の一部に設けられた袖壁に納められる袖壁納めや壁体に設けられた戸袋に納められる戸袋納めではなく、開口３の壁厚方向一方側となる外側においてスライド自在に、いわゆるアウトセット納め状に建て付けられる構成とされている。また、この戸板１０は、図３に示す閉鎖位置から戸幅方向（壁幅方向）一方側に片引き状にスライドされて図２に示す全開位置とされれば、開口３の開口幅方向一方側に位置する壁体２の壁厚方向一方側に配される構成とされている。本実施形態では、引戸装置１を、単一の戸板１０を備えた構成としている。
【００１１】
また、引戸装置１は、壁体２の一方側（壁厚方向一方側）の床側に配設され、戸板１０の荷重を受けて戸板１０の下端側をガイドする下レール６を備えている。つまり、引戸装置１は、戸板１０の荷重を下レール６によって受ける下荷重型とされている。
また、引戸装置１は、壁体２の一方側において開口３の上縁部分に沿って取り付けられる壁側レール部材２１及び戸板１０の上端側に配設される戸側レール部材３５を有し、戸板１０の上端側をガイドする上ガイド部材２０を備えている。この戸側レール部材３５は、壁側レール部材２１に対してスライド自在に結合されて保持されている。
また、引戸装置１は、これら壁側レール部材２１及び戸側レール部材３５のうちの一方に設けられ、閉鎖位置及び全開位置のうちの少なくとも一方側に移動する戸板１０を減速させる緩衝機構３０Ａ，３０Ｂを備えている。また、引戸装置１は、これら壁側レール部材２１及び戸側レール部材３５のうちの他方に設けられ、緩衝機構３０Ａ，３０Ｂを作動させる作用部４２，４２を備えている。
【００１２】
開口３は、図１（ｂ）に示すように、住居等の建物の壁体２を貫通するように設けられ、出入口を構成する。図例では、開口３の上側及び左右（開口幅方向）両側を、開口枠を構成する上枠４及び一対の縦枠５，５によって区画した例を示している。また、図例では、これら上枠４及び一対の縦枠５，５を、これらの壁厚方向（見込方向）両端部がいわゆるちり部となるように壁厚方向両面から突出する固定枠とした例を示している。
また、この開口３の下側は、床面によって区画するようにしてもよく、下枠によって区画するようにしてもよい。また、このような開口枠４，５，５を備えた引戸装置１として把握するようにしてもよい。また、本実施形態では、開口３を、開口枠４，５，５によって区画した例を示しているが、このような開口枠４，５，５を設けずに、無枠状にクロス仕上された内側面によって区画するようにしてもよい。
【００１３】
下レール６は、戸板１０のスライド方向（戸幅方向）に沿って長尺状とされ、図２に示す全開位置と図３に示す閉鎖位置とに亘ってスライドする戸板１０の下端側のガイドが可能なように床側に配設される。図例では、この下レール６の長さを、閉鎖位置の戸板１０の戸先側端面から全開位置の戸板１０の戸尻側端面までの戸幅方向に沿う寸法に応じた寸法とした例を示している。つまりは、下レール６は、開口３の開口幅寸法の２倍以上の長さとされている。また、この下レール６には、上方に向けて開口するガイド溝７が長手方向に延びるように設けられている。
この下レール６は、図１（ｂ）に示すように、開口３の壁厚方向一方側となる両縦枠５，５の壁厚方向一方側に位置するように配される。図例では、この下レール６を、その長手方向一端部が閉鎖位置とされた戸板１０の戸先側端部近傍に位置する一方の縦枠５の壁厚方向一方側に位置するように配した例を示している。また、図例では、この下レール６を、両縦枠５，５の壁厚方向一方面に近接するように配した例を示している。
また、本実施形態では、この下レール６を、床上に設置される、いわゆる直付レールとしている。なお、このような態様に代えて、下レール６を、床に埋込状に設けられるものとしてもよい。
【００１４】
また、本実施形態では、この下レール６の長手方向両端部に、戸板１０の閉鎖位置及び全開位置をそれぞれに規制する一対のストッパー部８，９を設けた構成としている。つまり、下レール６の長手方向一端部に戸板１０の閉鎖位置を規制する閉鎖側ストッパー部８を設け、下レール６の長手方向他端部に戸板１０の全開位置を規制する全開側ストッパー部９を設けた構成としている。これらストッパー部８，９は、上方に向けて突出するように設けられている。閉鎖側ストッパー部８は、戸板１０の戸先側端面の下端部に当接して戸板１０の閉鎖方向先側への更なる移動を抑制する構成とされている。全開側ストッパー部９は、戸板１０の戸尻側端面の下端部に当接して戸板１０の開放方向先側への更なる移動を抑制する構成とされている。なお、これらストッパー部８，９の上方側への突出寸法は、戸板１０の移動の抑制が可能なように、また、見栄え上の観点等から適宜、設定するようにしてもよい。
【００１５】
戸板１０は、上下に長尺状とされ、図３に示すように、閉鎖位置において、壁厚方向（戸厚方向）一方側から見て開口３の略全体を覆う構成とされている。また、戸板１０は、図２に示すように、全開位置において、この全開位置とされた戸板１０の戸先側端部近傍に位置する他方の縦枠５の内側面（見込面）と戸先側端面とが略同一平面状となるように配される。
本実施形態では、図１及び図３に示すように、戸板１０の上下寸法及び戸幅寸法を、開口３の開口高寸法及び開口幅寸法よりも大としている。図例では、戸板１０の上下寸法を、閉鎖位置において、壁厚方向一方側から見て上枠４の全体を覆い得る寸法としている。また、戸板１０の戸幅寸法を、閉鎖位置において、壁厚方向一方側から見て両側の縦枠５，５の略全体を覆い得る寸法としている。
【００１６】
この戸板１０の戸先側端部には、当該戸板１０を開閉する際の手掛けとなる適宜の引手１２が設けられている。
また、本実施形態では、戸板１０の下端部に、下レール６のガイド溝７に係合する戸車１１を設けている。図例では、戸板１０の下端部の戸幅方向両端部のそれぞれに戸車１１，１１を設けた例を示している。これら戸車１１，１１は、一部が戸板１０の下端面から下方に向けて突出するように設けられている。また、これら戸車１１，１１は、戸厚方向に軸方向を沿わせた軸廻りに回転自在とされ、下レール６のガイド溝７に係合して転動する構成とされている。なお、このような戸車１１を戸板１０の下端部に設けた態様に代えて、戸板１０の下端部に設けられた突条や下端部自体が下レール６のガイド溝７に係合してガイドされる態様等としてもよい。
【００１７】
上ガイド部材２０は、互いにスライド自在に結合された壁側レール部材２１及び戸側レール部材３５のうちの一方に緩衝機構３０Ａ，３０Ｂを設け、他方に作用部４２，４２を設けた構成とされ、戸板１０の上端側をガイドする上レールユニットを構成する。
本実施形態では、壁側レール部材２１及び戸側レール部材３５のうちの一方に、閉鎖位置に移動する戸板１０を減速させる緩衝機構（閉鎖側緩衝機構）３０Ｂと全開位置に移動する戸板１０を減速させる緩衝機構（閉鎖側緩衝機構）３０Ａとを設けた構成としている。これら緩衝機構３０Ａ，３０Ｂは、戸板１０を減速させ、跳ね返りや衝撃を緩和する構成とされている。また、これら壁側レール部材２１及び戸側レール部材３５のうちの他方に、これら緩衝機構３０Ａ，３０Ｂを作動させる作用部４２，４２を設けた構成としている。
また、本実施形態では、壁側レール部材２１及び戸側レール部材３５のうちの一方としての壁側レール部材２１に、緩衝機構３０Ａ，３０Ｂを設け、これらのうちの他方としての戸側レール部材３５に、作用部４２，４２を設けた構成としている。
【００１８】
壁側レール部材２１は、図２及び図３に示すように、戸幅方向に沿って長尺状とされている。この壁側レール部材２１は、当該壁側レール部材２１に対してスライドされる戸側レール部材３５によって閉鎖位置と全開位置とに亘ってスライドする戸板１０の上端側のガイドが可能なように設けられている。また、この壁側レール部材２１は、開口３の上縁部分に加え、全開位置において戸板１０が納められる側に延びるように配設される構成とされ、その長さ寸法が開口３の開口幅寸法よりも大とされている。本実施形態では、図３に示すように、この壁側レール部材２１の長さ寸法を、戸板１０の戸幅寸法と略同寸法としている。この壁側レール部材２１の長さ寸法は、全開位置において必要となる戸板１０の戸先側端部と壁側レール部材２１との戸幅方向に沿う重なり幅に開口３の開口幅寸法を足し合わせた寸法に応じた寸法としてもよい。なお、互いにスライド自在に結合された壁側レール部材２１及び戸側レール部材３５の構成によっては、壁側レール部材２１の長さ寸法を、開口３の開口幅寸法と略同寸法としてもよい。
【００１９】
戸側レール部材３５は、図３に示すように、少なくとも閉鎖位置において戸幅方向で壁側レール部材２１の長さ内に位置するように配される構成とされている。本実施形態では、図２に示すように、この戸側レール部材３５を、戸板１０の戸先側端部の上端側に配されるものとし、全開位置においても戸幅方向で壁側レール部材２１の長さ内に位置するように配される構成としている。
また、これら壁側レール部材２１及び戸側レール部材３５には、図１（ａ）に示すように、互いにスライド自在に結合されてスライドレールを構成する壁側レール２６及び戸側レール３６がそれぞれに設けられている。これら壁側レール２６と戸側レール３６との間には、リテーナ（保持器）やこれに回転自在に保持される転動体としてのボール等が設けられている。
【００２０】
また、壁側レール部材２１は、この壁側レール２６が固定され、取付対象としての壁体２側に取り付けられる壁側ベース部材２２を備えている。これら壁側ベース部材２２と壁側レール２６とは、互いに略同長さとされている。
壁側ベース部材２２は、全長に亘って一様な断面形状とされており、壁体２側に取り付けられる取付片部２３を備えている。
この取付片部２３は、壁厚方向に厚さ方向を沿わせた薄板状とされており、ねじや釘等の適宜の止具によって壁体２側に固定される。図例では、この取付片部２３を、上枠４との間に間隔を空けて上枠４よりも上方側に位置するように固定した例を示しているが、上枠４の上面や壁厚方向一方側に向く面に沿わせるように固定した構成としてもよい。また、図例では、壁体２との間にスペーサーを介して取付片部２３を固定した例を示している。なお、この取付片部２３に、止具挿通孔や止具止着箇所の目印となる目印溝等を設けた構成としてもよい。
また、壁側ベース部材２２には、緩衝機構３０Ａ，３０Ｂ及び壁側レール２６が固定されてこれらを保持する固定保持部２４，２５が設けられている。本実施形態では、固定保持部２４，２５を、壁厚方向一方側から壁厚方向に沿う方向に見て緩衝機構３０Ａ，３０Ｂ及び壁側レール２６を覆うように設けた構成としている。
【００２１】
また、固定保持部２４，２５を、取付片部２３の下端部から壁厚方向一方側に向けて突出するように設けられた水平片部２４と、この水平片部２４の突出方向先端部から垂れ下がるように設けられた垂下片部２５と、を備えた構成としている。
水平片部２４は、上下方向に厚さ方向を沿わせた薄板状とされている。本実施形態では、この水平片部２４の下面側に緩衝機構３０Ａ，３０Ｂを設けた構成としている。
垂下片部２５は、壁厚方向に厚さ方向を沿わせた薄板状とされている。本実施形態では、この垂下片部２５の壁厚方向他方側（背面側）に壁側レール２６を設けた構成としている。
また、本実施形態では、壁側レール２６及び戸側レール３６を、壁厚方向で（戸幅方向に沿う方向に見て）緩衝機構３０Ａ，３０Ｂの壁厚方向一方側に位置するように設けた構成としている。水平片部２４の壁厚方向に沿う突出寸法（幅寸法）は、これら壁側レール２６及び戸側レール３６並びに緩衝機構３０Ａ，３０Ｂが下面側に配設可能なように適宜の寸法とされている。
【００２２】
また、垂下片部２５の上下方向に沿う寸法（幅寸法）は、壁厚方向一方側から壁厚方向に沿う方向に見て、これら壁側レール２６及び戸側レール３６並びに緩衝機構３０Ａ，３０Ｂを覆い得るように適宜の寸法とされている。本実施形態では、この垂下片部２５の幅寸法を、水平片部２４と戸板１０の上端面との間の空間を覆い得るように、水平片部２４から戸板１０の上端面までの上下方向に沿う寸法に応じた寸法としている。
また、図例では、この垂下片部２５に連なるように、水平片部２４の突出方向先端部から立ち上がるように設けられた立上片部を設けた例を示している。この立上片部の上下方向に沿う寸法（幅寸法）は、取付片部２３に壁厚方向一方側から止具の止着が可能なように、取付片部２３の上下方向に沿う寸法（幅寸法）よりも小とされている。このような立上片部を設けた構成とすれば、取付片部２３に止着された止具を目立ち難くすることができる。
【００２３】
壁側レール２６は、全長に亘って一様な断面形状とされており、壁側ベース部材２２の水平片部２４と垂下片部２５との入隅部に沿うように固定されている。この壁側レール２６は、壁側ベース部材２２に対して適宜の止具や溶接等によって固定されたものでもよい。
また、本実施形態では、この壁側レール２６を、スライドレール２６，３６のアウターメンバー（アウターレール）を構成するものとしている。この壁側レール２６は、スライドレール２６，３６のインナーメンバー（インナーレール）を構成する戸側レール３６を収容するように一方向に向けて開口した凹溝を設けた形状とされている。本実施形態では、この壁側レール２６を、凹溝が壁厚方向他方側に向けて開口するように配設した構成としている。また、この壁側レール２６の凹溝の溝幅方向両側面は、ボールに応じた凹湾曲面状とされている。
【００２４】
全開側緩衝機構３０Ａと閉鎖側緩衝機構３０Ｂとは、図２及び図３に示すように、本実施形態では、壁側ベース部材２２の長手方向両端側に対状に設けられている。また、全開側緩衝機構３０Ａを、全開位置の戸板１０の戸先側端部に応じた位置となるように、壁側ベース部材２２における戸板１０納め側の壁体２に延出された側となる長手方向一端側に設けた構成としている。また、閉鎖側緩衝機構３０Ｂを、閉鎖位置の戸板１０の戸先側端部に応じた位置となるように、壁側ベース部材２２の長手方向他端側に設けた構成としている。
これら全開側緩衝機構３０Ａと閉鎖側緩衝機構３０Ｂとは、互いに同様な構成とされており、壁厚方向に沿う方向に見て、これらの間の壁幅方向に沿う方向中心を対称軸とする線対称状となるように配されている（図５及び図６も参照）。
【００２５】
これら緩衝機構３０Ａ，３０Ｂは、壁側レール部材２１の長手方向（レール長手方向）に沿って長尺なブロック状とされており、壁側ベース部材２２の水平片部２４の下面に沿うように固定されている。
本実施形態では、緩衝機構３０Ａ，３０Ｂを、戸板１０を減速させる機能に加え、戸板１０の全開位置側及び閉鎖位置側への移動をアシスト（助勢）する機能（引込機能）を有した構成としている。つまり、これら緩衝機構３０Ａ，３０Ｂは、全開位置側及び閉鎖位置側に移動する戸板１０を減速させながら全開位置側及び閉鎖位置側に助勢する構成とされている。
また、これら緩衝機構３０Ａ，３０Ｂは、図４〜図６に示すように、長尺筒状とされたケーシング内に、開口幅方向に沿って伸縮するロッドを有したシリンダー３１，３１を設けた構成とされている。また、これらシリンダー３１，３１のロッドの先端部に、スライド体３２，３２を連結した構成とされている。これらスライド体３２，３２は、作用部４２，４２に係合し、ケーシングに対して開口幅方向にスライドされる構成とされている。
【００２６】
シリンダー３１，３１は、互いの対向側となるレール長手方向中央側においてロッドを伸縮させるように配されている。これらシリンダー３１，３１には、ロッドを縮退方向、つまり、レール長手方向外方側に付勢し、戸板１０を助勢する引張コイルばね等からなる付勢部材が設けられている。つまりは、これら付勢部材は、シリンダー３１，３１に対してロッドが伸長された状態で、助勢力が蓄勢された状態とされる。
また、シリンダー３１，３１には、付勢部材の付勢に抗するように、縮退されるロッドの作動抵抗となるダンパー（ショックアブソーバー）が設けられている。これらダンパーの作動抵抗（作動流体の粘性抵抗等）によって付勢部材の復元が抑えられてスライド体３２，３２の移動が減速され、全開側及び閉鎖側に移動する戸板１０の減速がなされる構成とされている。なお、シリンダー３１，３１のロッドの伸縮寸法（ストローク）、つまりは、スライド体３２，３２のスライド方向に沿う可動寸法は、戸板１０の減速が可能なように、適宜、設定するようにしてもよい。
【００２７】
スライド体３２，３２は、上方側に向けて突出する突片部状とされた作用部４２，４２をレール長手方向両側から挟むように、これら作用部４２，４２に係合する第１突起部３３，３３と第２突起部３４，３４とを有している。これら第１突起部３３，３３及び第２突起部３４，３４は、ケーシングの下面から下方側に向けて突出するように設けられている。ケーシングの下面を構成する底板部には、これら第１突起部３３，３３及び第２突起部３４，３４のスライドを可能とするレール長手方向に長尺なスライド溝が設けられている。
レール長手方向中央側に設けられた第１突起部３３，３３は、戸板１０のスライドを伴い作用部４２，４２に対する係合解除が可能なように、ケーシングに対して上下方向に概ね沿う方向に出没自在とされている。
【００２８】
各緩衝機構３０Ａ，３０Ｂのケーシングのスライド溝には、レール長手方向中央側に第１突起部３３，３３の没入を許容する大径部が設けられ、この大径部よりもレール長手方向外方側において第１突起部３３，３３を突出させた状態でスライドさせる構成とされている。緩衝機構３０Ａ，３０Ｂには、このように没入状態とされた第１突起部３３，３３を保持する保持部が設けられている。
第２突起部３４，３４は、常に突出した状態とされ、上記のように保持部によって没入状態で保持された第１突起部３３，３３を突出させる当接部としても機能する。
【００２９】
戸側レール部材３５は、本実施形態では、図４に示すように、戸幅方向に沿う長さ寸法が、壁側レール部材２１の長さ寸法よりも小とされている。この戸側レール部材３５の長さ寸法は、壁側レール部材２１の長さ寸法から開口３の開口幅寸法を差し引いた寸法に概ね応じた寸法とされている。また、この戸側レール部材３５の長さ寸法は、壁厚方向に見て壁体２に重なり合う閉鎖位置の戸板１０の戸尻側部位の戸幅寸法に概ね応じた寸法とされている（図２及び図３参照）。
本実施形態では、この戸側レール部材３５に、当該戸側レール部材３５に対する戸板１０の上下動を許容するように戸板１０の上端部を保持する保持部３８を設けた構成としている。また、戸側レール部材３５に、当該戸側レール部材３５に対して戸板１０を下方側に付勢する付勢部材４３を設けた構成としている。
また、戸側レール部材３５に、戸側レール３６が固定され、保持部３８が設けられた戸側ベース部材３７を設けた構成とされている。これら戸側レール３６と戸側ベース部材３７とは、互いに略同長さとされている。
【００３０】
戸側レール３６は、全長に亘って一様な断面形状とされており、上記した壁側レール２６とによってスライドレール２６，３６を構成するように設けられている。
この戸側レール３６は、幅方向を上下方向に沿わせて配され、幅方向両側面がボールに応じた凹湾曲面状とされている。この戸側レール３６の幅方向両側面と壁側レール２６の凹溝の溝幅方向両側面との間に複数のボールが回転自在に設けられている。このような構成により、戸側レール３６は、壁側レール２６に対して戸幅方向にはスライド自在とされる一方、それ以外の方向（上下方向及び壁厚方向）への移動が壁側レール２６によって抑止された構成とされている。
【００３１】
また、戸側レール３６は、戸板１０の移動を伴い壁側レール２６に対して戸幅方向に移動し、全開位置では、壁側レール部材２１における全開側緩衝機構３０Ａが設けられた側となる長手方向一端側に位置するように配される構成とされている。また、戸側レール３６は、戸板１０の移動を伴い壁側レール２６に対して戸幅方向に移動し、閉鎖位置では、壁側レール部材２１における閉鎖側緩衝機構３０Ｂが設けられた側となる長手方向他端側に位置するように配される構成とされている。つまり、本実施形態では、スライドレール２６，３６を、戸側レール３６が壁側レール２６の長さの範囲内においてスライド自在とされたいわゆるリニアモーション型としている。なお、壁側レール２６の長手方向両端部等の適所に、壁側レール２６の長手方向両端からの戸側レール３６の突出を抑止するストッパー等を設けた構成としてもよい。
【００３２】
戸側ベース部材３７は、全長に亘って一様な断面形状とされている。この戸側ベース部材３７には、戸側レール３６が固定された固定片部３７ａと保持部３８が設けられた保持片部３７ｂとが設けられている。
固定片部３７ａは、壁厚方向に厚さ方向を沿わせた薄板状とされ、戸側レール３６の壁厚方向他方側に固定されている。戸側レール３６は、固定片部３７ａに対して適宜の止具や溶接等によって固定されたものでもよい。
保持片部３７ｂは、上下方向に厚さ方向を沿わせた薄板状とされ、本実施形態では、固定片部３７ａの下端部から壁厚方向他方側に向けて突出するように設けられている。
本実施形態では、戸板１０の上端部に、上方側に向けて突出するように連結突部１５を設けた構成とし、保持片部３７ｂに、この連結突部１５を上下動自在に受け入れて保持する保持部を構成する保持凹部３８を設けた構成としている。
【００３３】
また、戸板１０の上端部に、戸幅方向に間隔を空けて複数（図例では、２つ）の連結突部１５，１５を設け、保持片部３７ｂに、これら連結突部１５，１５に対応させて戸幅方向に間隔を空けて複数（図例では、２つ）の保持凹部３８，３８を設けた構成としている。また、これら保持凹部３８，３８を、戸側ベース部材３７の長手方向両端部のそれぞれに設けた構成としている。
また、本実施形態では、これら保持凹部３８，３８を、保持片部３７ｂを厚さ方向に貫通するように設け、連結突部１５，１５が挿通される挿通孔としている。連結突部１５，１５の上下方向に沿う突出寸法は、所望する戸板１０の上下動の許容寸法に応じて適宜の寸法としてもよい。
また、連結突部１５，１５の上端部に、これら保持凹部３８，３８に挿通された連結突部１５，１５の抜止となる抜止部としての鍔状部１５ａ，１５ａをそれぞれに設けた構成としている。なお、これら連結突部１５，１５は、略円柱形状や略多角柱状等とされたものでもよく、また、保持凹部３８，３８は、これら連結突部１５，１５に応じて丸孔状や略多角形孔状等とされたものでもよい。
【００３４】
また、本実施形態では、これら連結突部１５，１５を、戸板１０の戸先側端部の上端部に戸幅方向外方側及び上方側に向けて開口するように設けられた凹所状の取付部（カップ部）１３に取り付けられる被取付部１４に設けた構成としている。
被取付部１４は、戸幅方向に長尺なブロック状とされており、その上面から上方側に向けて突出させるように連結突部１５，１５を設けた構成とされている。この被取付部１４は、戸板１０の取付部１３に埋込状に嵌め込まれる構成とされている。なお、この被取付部１４は、戸板１０の取付部１３に嵌め込むのみで取り付けられる構成とされたものでもよく、適宜の止具や接着剤等によって取り付けられる構成とされたものでもよい。また、図例では、被取付部１４の長さ寸法を、戸側レール部材３５よりも戸先側に延出するように長尺状とした例を示しているが、戸側レール部材３５と略同長さとしてもよく、戸側レール部材３５よりも小としてもよい。
【００３５】
また、本実施形態では、当該戸側レール部材３５に対して戸板１０を下方側に付勢する付勢部材４３を、保持片部３７ｂと戸板１０の上端面との間に位置するように設けた構成としている。また、戸幅方向に間隔を空けて複数（図例では、２つ）の付勢部材４３，４３を設けた構成としている。また、これら付勢部材４３，４３を、連結突部１５，１５がそれぞれに挿通された圧縮コイルばねとしている。これら付勢部材４３，４３は、戸板１０の上端部に取り付けられた被取付部１４を保持片部３７ｂに対して下方側に向けて付勢する構成とされている。なお、付勢部材４３，４３としては、圧縮コイルばねに限られず、後記する第２実施形態のような板ばねでもよく、その他のばね部材でもよく、また、ばね部材に限られず、ゴム等の弾性部材でもよい。
【００３６】
上記のような構成により、被取付部１４、つまり戸板１０が保持片部３７ｂに対して上方側に変位すれば、付勢部材４３，４３の弾性変形（圧縮変形）を伴い、連結突部１５，１５が保持片部３７ｂに対して上方側に変位する（図１（ａ）参照）。一方、被取付部１４、つまり戸板１０が保持片部３７ｂに対して下方側に変位すれば、付勢部材４３，４３の復元（伸長）を伴い、連結突部１５，１５が保持片部３７ｂに対して下方側に変位する（図４参照）。このような構成により、戸板１０の上端側が保持されながらも戸板１０が上下動可能となる。なお、この戸板１０の上下動の許容寸法は、数ｍｍ〜十数ｍｍ程度の小さい寸法としてもよい。
また、被取付部１４及び連結突部１５，１５も含めて戸側レール部材３５（上ガイド部材２０）として把握するようにしてもよい。なお、このように保持部としての保持凹部３８，３８に対して上下動自在に保持される被保持部としての連結突部１５，１５を戸側レール部材３５に対して上下動自在に連結して一体的に設けた態様に代えて、戸板１０に直接的に設けた態様等としてもよい。
【００３７】
また、本実施形態では、保持片部３７ｂに、図４〜図６に示すように、上記した緩衝機構３０Ａ，３０Ｂを作動させる作用部４２，４２を設けた構成としている。また、本実施形態では、全開側緩衝機構３０Ａを作動させる作用部４２を有した全開側トリガー部４０Ａと、閉鎖側緩衝機構３０Ｂを作動させる作用部４２を有した閉鎖側トリガー部４０Ｂと、を設けた構成としている。これら全開側トリガー部４０Ａと閉鎖側トリガー部４０Ｂとは、保持片部３７ｂの長手方向に間隔を空けて対状に設けられている。本実施形態では、保持片部３７ｂ（戸側レール部材３５）の戸幅方向で戸尻側に全開側トリガー部４０Ａを設け、保持片部３７ｂ（戸側レール部材３５）の戸幅方向で戸先側に閉鎖側トリガー部４０Ｂを設けた構成としている。また、これら全開側トリガー部４０Ａ及び閉鎖側トリガー部４０Ｂを、戸幅方向で保持凹部３８，３８の間に位置するように設けた構成としている。
【００３８】
また、これら全開側トリガー部４０Ａ及び閉鎖側トリガー部４０Ｂに、突出状態とされたスライド体３２，３２の第１突起部３３，３３を正常な没入状態に復帰させる復帰部４１，４１を設けた構成としている。これら復帰部４１，４１は、戸幅方向でそれぞれの作用部４２，４２の外方側に位置するように設けられている。つまり、全開側トリガー部４０Ａの作用部４２よりも戸尻側に全開側トリガー部４０Ａの復帰部４１を設け、閉鎖側トリガー部４０Ｂの作用部４２よりも戸先側に閉鎖側トリガー部４０Ｂの復帰部４１を設けた構成としている。これら全開側トリガー部４０Ａと閉鎖側トリガー部４０Ｂとは、互いに同様な構成とされており、壁厚方向に沿う方向に見て、これらの間の戸幅方向に沿う方向中心を対称軸とする線対称状となるように設けられている。
【００３９】
これら全開側トリガー部４０Ａ及び閉鎖側トリガー部４０Ｂの作用部４２，４２は、保持片部３７ｂから上方側に向けて突出するように設けられた突片部状とされ、戸厚方向に見て略矩形状とされている。これら作用部４２，４２の戸幅方向に沿う寸法は、上記したスライド体３２，３２の第１突起部３３，３３から第２突起部３４，３４までの戸幅方向に沿う寸法に応じた寸法とされている。これら作用部４２，４２は、全開側及び閉鎖側のそれぞれに移動する戸板１０の減速が可能なように、上記した緩衝機構３０Ａ，３０Ｂのシリンダー３１，３１のロッドのストローク等に応じて、適宜の位置に設けるようにしてもよい。
【００４０】
また、これら全開側トリガー部４０Ａ及び閉鎖側トリガー部４０Ｂの復帰部４１，４１は、保持片部３７ｂから上方側に向けて突出するように設けられている。これら復帰部４１，４１の作用部４２，４２側に向く面は、スライド体３２，３２の第１突起部３３，３３に当接される係合面とされている。また、これら復帰部４１，４１の上端部の反作用部側には、斜め上方側に向く下り坂状の傾斜面が設けられている。また、これら復帰部４，４１は、突出状態の第１突起部３３，３３に係合する一方、第２突起部３４，３４には干渉しないように設けられている。
なお、図例では、これら全開側トリガー部４０Ａ及び閉鎖側トリガー部４０Ｂを、保持片部３７ｂに一体的に設けたように図示しているが、保持片部３７ｂに対して固定される別体とされたものとしてもよい。また、これら全開側トリガー部４０Ａ及び閉鎖側トリガー部４０Ｂを、保持片部３７ｂに対して位置調整可能に固定されるものとしてもよい。また、全開側緩衝機構３０Ａ及び閉鎖側緩衝機構３０Ｂをそれぞれに作動させる作用部４２，４２を個別に設けた例を示しているが、全開側緩衝機構３０Ａ及び閉鎖側緩衝機構３０Ｂの両方を作動させる共用の単一の作用部４２を設けた構成としてもよい。
【００４１】
上記構成とされた引戸装置１の戸板１０が全開位置に移動する際には、図５に示すように、以下のように減速がなされる。
つまり、図５（ａ）、（ｂ）に示すように、戸板１０を開放側に向けて移動させ、全開側緩衝機構３０Ａのスライド体３２の第２突起部３４に、全開側トリガー部４０Ａの作用部４２が当接すれば、第１突起部３３が突出して作用部４２に係合する。これにより、図５（ｂ）、（ｃ）に示すように、全開側緩衝機構３０Ａが作動、つまりは、シリンダー３１のロッドの縮退による減速と付勢部材の付勢による助勢とがなされ、戸板１０が全開位置となる。この全開位置から戸板１０を閉鎖側に移動させれば、図５（ｂ）及び図５（ａ）に示すように、作用部４２によって全開側緩衝機構３０Ａが作動、つまりは、シリンダー３１のロッドが伸長され、助勢力が蓄勢された状態でスライド体３２が保持される。つまり、ロッドが伸長された状態で第１突起部３３が没入されて保持される。
【００４２】
一方、戸板１０が閉鎖位置に移動する際には、図６に示すように、以下のように減速がなされる。
つまり、図６（ａ）、（ｂ）に示すように、戸板１０を閉鎖側に向けて移動させ、閉鎖側緩衝機構３０Ｂのスライド体３２の第２突起部３４に、閉鎖側トリガー部４０Ｂの作用部４２が当接すれば、第１突起部３３が突出して作用部４２に係合する。これにより、図６（ｂ）、（ｃ）に示すように、閉鎖側緩衝機構３０Ｂが作動、つまりは、シリンダー３１のロッドの縮退による減速と付勢部材の付勢による助勢とがなされ、戸板１０が閉鎖位置となる。この閉鎖位置から戸板１０を開放側に移動させれば、図６（ｂ）及び図６（ａ）に示すように、上記同様、作用部４２によって閉鎖側緩衝機構３０Ｂが作動、つまりは、シリンダー３１のロッドが伸長され、助勢力が蓄勢された状態でスライド体３２が保持される。つまり、ロッドが伸長された状態で第１突起部３３が没入されて保持される。
また、戸板１０を建て付ける際や、振動等によって意図せずに保持部による保持が解除されて第１突起部３３，３３が突出した状態となれば、詳細な説明は省略するが、以下のようにしてもよい。復帰部４１，４１を第１突起部３３，３３に当接させて没入させ、復帰部４１，４１の係合面に第１突起部３３，３３を係合させた状態で、戸板１０を逆側に移動させシリンダー３１，３１のロッドを伸長させ、第１突起部３３，３３を正常な没入状態とするようにしてもよい。
【００４３】
また、本実施形態では、全開側緩衝機構３０Ａが作動される際に、戸板１０の戸尻側端部に設けられた被規制部材１６に係合して戸板１０の戸尻側の浮き上がりを抑制する規制部材１８を設けた構成としている。
被規制部材１６は、図１〜図３に示すように、戸板１０の戸尻側端部における壁体２側に向く面（壁厚方向他方側面）の下端部に設けられている。この被規制部材１６は、戸板１０の戸尻側端部の下端部に取り付けられた取付部に、壁厚方向他方側に向けて突出するように被係合片部１７を設けた構成とされている。また、この被規制部材１６は、閉鎖位置において戸幅方向で開口３側に露出しないように設けられている。被係合片部１７は、上下方向に厚さ方向を沿わせた薄板状とされている。この被係合片部１７の突出寸法や戸幅方向に沿う寸法は、規制部材１８に係合して戸板１０の開放側への移動方向前方側となる戸尻側の浮き上がりを効果的に抑制する観点等から適宜の寸法としてもよい。
【００４４】
規制部材１８は、図１〜図３に示すように、下レール６の全開側ストッパー部９側に位置するように、壁体２の壁厚方向一方側の下端部に配設される構成とされている。
この規制部材１８には、図１（ａ）に示すように、壁厚方向一方側に向けて開口し、被規制部材１６の被係合片部１７を受け入れる係合凹溝１９が壁幅方向に沿う方向の全体に亘って設けられている。この係合凹溝１９の溝幅方向一方側の溝側面となる下方側に向く面（係合面）によって被規制部材１６の被係合片部１７の上方側への移動が抑制され、全開位置に移動する戸板１０の移動方向前方側となる戸尻側の浮き上がりが抑制される。なお、これら規制部材１８及び被規制部材１６を、上記した全開側緩衝機構３０Ａのスライド体３２に作用部４２が係合する直前に互いに係合する構成とされたものとしてもよい。
また、上記構成とされた引戸装置１を設置する際には、被取付部１４が連結突部１５，１５を介して戸側レール部材３５に連結された上ガイド部材２０及び下レール６を設置した状態で、これらに戸板１０を建て付けて設置するようにしてもよい。この際、戸板１０の戸車１１，１１を下レール６に係合させ、被取付部１４を上方側に押し上げた状態で、戸板１０の取付部１３に嵌め込むようにして取り付けるようにしてもよい。
【００４５】
本実施形態に係る引戸装置１は、上述のような構成としたことで、戸板１０の上端側をガイドする部材を閉鎖位置において目立ち難くしながらも、閉鎖位置及び全開位置のうちの少なくとも一方側に移動する戸板１０の衝撃を緩和することができる。
つまり、壁体２に設けられた開口３を開口３の壁厚方向一方側において開閉するように壁体２の一方面に沿ってスライド自在に建て付けられる戸板１０と、この戸板１０の下端側をガイドする下レール６と、を備えた構成としている。従って、戸板１０を下レール６に沿ってスライド自在にアウトセット状に納めることができる。
また、壁側レール部材２１及びこの壁側レール部材２１に対してスライド自在に結合されて保持される戸側レール部材３５を有し、戸板１０の上端側をガイドする上ガイド部材２０を備えた構成としている。従って、これら壁側レール部材２１と戸側レール部材３５とによって戸板１０の上端側をガイドすることができる。また、閉鎖位置では、これら壁側レール部材２１と戸側レール部材３５とが重なり合うように配設されるので、戸板１０の納め側の壁面の一方側にも延びるように上レールを設けたものと比べて、戸板１０の上端側をガイドする上ガイド部材２０を目立ち難くすることができる。
【００４６】
また、壁側レール部材２１及び戸側レール部材３５のうちの一方に、全開位置及び閉鎖位置のうちの少なくとも一方側に移動する戸板１０を減速させる緩衝機構３０Ａ，３０Ｂを設け、他方に、作用部４２，４２を設けた構成としている。従って、全開位置及び閉鎖位置のうちの少なくとも一方側に移動する戸板１０の衝撃を緩和することができる。また、互いにスライド自在に結合された壁側レール部材２１及び戸側レール部材３５のうちの一方に緩衝機構３０Ａ，３０Ｂを設け、他方に作用部４２，４２を設けた構成としているので、これらが言わばユニット化されたレールユニットとなり、取扱性を向上させることができる。また、戸板１０の開閉に伴う緩衝機構３０Ａ，３０Ｂに対する作用部４２，４２の位置ずれが生じ難くなり、緩衝機構３０Ａ，３０Ｂを確実に作動させることができる。また、緩衝機構３０Ａ，３０Ｂ及び作用部４２，４２の一方を戸板１０の上端部等に設けた場合に戸板１０の高さ調整をした場合には、他方に対する上下位置の位置調整をする必要が生じることが考えられるが、このような調整を不要とすることができる。
【００４７】
また、本実施形態では、緩衝機構３０Ａ，３０Ｂを、壁側レール部材２１に設けた構成としている。従って、戸側レール部材３５に緩衝機構３０Ａ，３０Ｂを設けたものと比べて、戸板１０の開閉に伴う振動等の影響を受け難く損傷等を抑制することができる。
また、本実施形態では、壁側レール部材２１（壁側レール２６）に対して戸側レール部材３５（戸側レール３６）を直接的にスライド自在に結合した構成としている。つまり、これら壁側レール２６及び戸側レール３６によって一組のスライドレール（シングルスライドレール）を構成している。従って、後記する第２実施形態のように中間レール部材２７を設けたものと比べて構造の簡略化を図ることができる。
なお、スライドレールを構成する壁側レール２６及び戸側レール３６としては、上記のようなボール等の転動体を介在させた態様に限られず、ローラー等を介在させた態様等としてもよく、その他、種々の構成とされたものの採用が可能である。
【００４８】
また、本実施形態では、壁側レール部材２１及び戸側レール部材３５のうちの一方に、閉鎖側緩衝機構３０Ｂと全開側緩衝機構３０Ａとを設け、他方に、これら緩衝機構３０Ａ，３０Ｂを作動させる作用部４２，４２を設けた構成としている。従って、閉鎖位置及び全開位置のいずれ側に移動する戸板１０の衝撃も緩和することができる。また、上記同様、これら緩衝機構３０Ａ，３０Ｂに対する作用部４２，４２の位置ずれが生じ難くなり、各緩衝機構３０Ａ，３０Ｂを確実に作動させることができる。
また、本実施形態では、全開位置に移動する戸板１０を減速させる全開側緩衝機構３０Ａが作動される際に、戸板１０の戸尻側端部に係合して戸板１０の戸尻側の浮き上がりを抑制する規制部材１８を設けた構成としている。従って、上記のように上端側のガイドの簡略化を図りながらも、全開位置に移動する戸板１０の戸尻側の浮き上がりを抑制することができ、下レール６からの脱離等を抑制することができる。
【００４９】
また、本実施形態では、戸側レール部材３５に、当該戸側レール部材３５に対する戸板１０の上下動を許容するように戸板１０の上端部を保持する保持部（保持凹部）３８，３８を設けた構成としている。従って、戸側レール部材３５（上ガイド部材２０）に対して戸板１０を固定的に設けたものと比べて、下レール６に荷重が受けられる戸板１０と上ガイド部材２０との互いの上下の位置決めを高精度に行う必要性を低減することができる。つまり、上ガイド部材２０と戸板１０とに互いに上下の位置ずれがあったり、下レール６に不陸等による凹凸があったりするような場合にも、上ガイド部材２０に対する戸板１０の上下動を許容することができ、戸板１０を円滑にスライドさせることができる。また、戸板１０の上下動によって上ガイド部材２０に対して過度な負荷が掛けられるようなことも抑制することができる。
また、本実施形態では、戸側レール部材３５に、当該戸側レール部材３５に対して戸板１０を下方側に付勢する付勢部材４３，４３を設けた構成としている。従って、上ガイド部材２０に対して上下動が許容された戸板１０のがたつきや下レール６からの脱離等を抑制することができる。
【００５０】
次に、本発明に係る他の実施形態について、図面を参照しながら説明する。
図７〜図１０は、第２実施形態に係る引戸装置の一例を模式的に示す図である。
なお、上記第１実施形態との相違点について主に説明し、同様の構成については、同一の符号を付し、その説明を省略または簡略に説明する。
【００５１】
本実施形態に係る引戸装置１Ａは、図７及び図８に示すように、上ガイド部材２０Ａの構成が上記第１実施形態とは主に異なる。
本実施形態では、壁側レール部材２１Ａと戸側レール部材３５Ａとを、これら壁側レール部材２１Ａ及び戸側レール部材３５Ａのそれぞれに対してスライド自在に結合されて保持された中間レール部材２７を介して結合した構成としている。
また、本実施形態では、戸側レール部材３５Ａの戸側ベース部材３７Ａを、上記第１実施形態よりも長尺状としており、この戸側ベース部材３７Ａの長さ寸法を、戸板１０Ａの戸幅寸法と略同寸法としている。つまり、本実施形態では、図８（ｂ）に示すように、この戸側レール部材３５Ａ（戸側ベース部材３７Ａ）を、全開位置において壁側レール部材２１Ａから延出するように配される構成としている。
また、本実施形態においても、壁側レール部材２１Ａに、全開側緩衝機構３０Ａ及び閉鎖側緩衝機構３０Ｂを設け、戸側レール部材３５Ａに、全開側トリガー部４０Ａ及び閉鎖側トリガー部４０Ｂを設けた構成としているが、これらを上記とは異なる箇所に設けている。
【００５２】
本実施形態では、全開側緩衝機構３０Ａ及び閉鎖側緩衝機構３０Ｂを、上記同様の構成とされた壁側ベース部材２２の水平片部２４の上面側に設けた構成としている。また、これら緩衝機構３０Ａ，３０Ｂを、水平片部２４と立上片部との入隅部に沿わせるように設けた構成としている。また、これら緩衝機構３０Ａ，３０Ｂを、上記第１実施形態とは上下逆向きとなるように設けた構成としている。つまり、これら緩衝機構３０Ａ，３０Ｂを、これらの第１突起部３３，３３及び第２突起部３４，３４が上方側に向けて突出するように設けた構成としている。また、これら緩衝機構３０Ａ，３０Ｂのシリンダー３１，３１を、上記第１実施形態とは逆側となる反対向側においてロッドを伸縮させるように配した構成としている。つまり、これら緩衝機構３０Ａ，３０Ｂを、上記第１実施形態とは、上下を反転させ、かつレール長手方向に反転させた向きとなるように設けた構成としている。
また、本実施形態では、これら緩衝機構３０Ａ，３０Ｂを、互いのシリンダー３１，３１の基端側を突合わせるように壁側ベース部材２２における戸板１０Ａ納め側の壁体２に延出された側となる長手方向一端側に設けた構成としている（図８（ｂ）参照）。つまり、これら緩衝機構３０Ａ，３０Ｂを、閉鎖位置の戸板１０Ａの戸尻側端部に応じた位置となるように、壁側ベース部材２２の長手方向一端側に設けた構成としている。また、閉鎖側緩衝機構３０Ｂを、全開側緩衝機構３０Ａよりも反開口側となる壁側ベース部材２２の長手方向一端側に設けた構成としている。
【００５３】
また、本実施形態では、壁側レール部材２１Ａの壁側レール２６Ａを、壁側ベース部材２２の水平片部２４の下面側に沿わせるように設けた構成としている。また、本実施形態では、この壁側レール２６Ａを、当該壁側レール部材２１Ａの全長に亘って設けていない構成としている。つまり、この壁側レール２６Ａの長さ寸法を、壁側ベース部材２２の長さ寸法よりも小としている。この壁側レール２６Ａの長さ寸法は、戸板１０Ａの開閉がなされる際に中間レール部材２７との係合が可能なように適宜の寸法としてもよい。また、図例では、この壁側レール２６Ａの長さ寸法を、戸側レール３６の長さ寸法と略同寸法とした例を示している。また、この壁側レール２６Ａを、壁側ベース部材２２の長手方向一端側に寄った位置となるように設けた構成としている。
【００５４】
中間レール部材２７は、壁側レール２６Ａに対して戸側レール３６が戸幅方向に伸縮自在となるように設けられている。本実施形態では、これら壁側レール２６Ａ及び戸側レール３６を含み、複数組（図例では、３組）のスライドレール２６Ａ，２８，２９，３６を構成するように中間レール部材２７を設けた構成としている。また、これら複数組のスライドレール２６Ａ，２８，２９，３６を、上下に積み重ねるように設けた構成としている。
この中間レール部材２７は、壁側レール２６Ａにスライド自在に結合された第１インナーレール２８ａとこの第１インナーレール２８ａに逆側を向くように固定的に設けられた第２インナーレール２８ｂとからなる中間インナーレール２８を備えている。また、中間レール部材２７は、第２インナーレール２８ｂにスライド自在に結合された第１アウターレール２９ａとこの第１アウターレール２９ａに逆側を向くように固定的に設けられた第２アウターレール２９ｂとからなる中間アウターレール２９を備えている。また、この第２アウターレール２９ｂが戸側レール３６にスライド自在に結合された構成とされている。
【００５５】
これら中間インナーレール２８及び中間アウターレール２９の長さ寸法は、壁側レール２６Ａ及び戸側レール３６の長さに応じて、また、開閉される戸板１０Ａの上端側のガイドが可能なように適宜の寸法としてもよい。図例では、これら中間インナーレール２８及び中間アウターレール２９の長さ寸法を、壁側レール２６Ａ及び戸側レール３６と略同長さとした例を示している。また、閉鎖位置において、複数組のスライドレール２６Ａ，２８，２９，３６が僅かに伸長された状態とした例を示している（図８（ａ）参照）。図例では、中間インナーレール２８に対して中間アウターレール２９が壁側ベース部材２２の長手方向一端側に向けて僅かに伸長され、中間アウターレール２９に対して戸側レール３６が壁側ベース部材２２の長手方向一端側に向けて僅かに伸長された例を示している。なお、このような態様に代えて、閉鎖位置において、これら複数組のスライドレール２６Ａ，２８，２９，３６同士が短縮された状態としてもよい。
【００５６】
また、図８（ｂ）に示すように、全開位置では、複数組のスライドレール２６Ａ，２８，２９，３６が伸長された状態となる。このように伸長された状態においても、複数組のスライドレール２６Ａ，２８，２９，３６同士の一部が互いに重なり合った状態とされる。なお、全開位置において、これらスライドレール２６Ａ，２８，２９，３６が最大限伸長された状態となる構成としてもよく、更なる伸長が可能な状態としてもよい。また、全開位置において、これらスライドレール２６Ａ，２８，２９，３６の更なる伸長を抑止するストッパー等を適宜の箇所に設けた構成としてもよい。
【００５７】
戸側レール３６が固定された戸側ベース部材３７Ａの固定片部３７Ａａは、本実施形態では、上下方向に厚さ方向を沿わせた薄板状とされ、その上面側に戸側レール３６を固定した構成とされている。
また、本実施形態では、戸側ベース部材３７Ａの保持部としての保持凹部３８Ａを、戸板１０Ａの上端部１５Ａを受け入れる構成としている。つまり、本実施形態では、戸板１０Ａの上端部１５Ａに、上記のような取付部１３や被取付部１４、連結突部１５を設けていない構成としている。
この保持凹部３８Ａは、下方側に向けて開口するように設けられ、下方側を向く底側が固定片部３７Ａａによって区画されている。また、戸側ベース部材３７Ａに、この保持凹部３８Ａの戸厚方向両側を区画するように、固定片部３７Ａａの戸厚方向両端部から垂れ下がるように保持片部３７Ａｂ，３７Ａｂを設けた構成としている。これら保持片部３７Ａｂ，３７Ａｂは、戸厚方向に厚さ方向を沿わせた薄板状とされている。
【００５８】
また、戸側ベース部材３７Ａに、この保持凹部３８Ａの戸幅方向両側を区画するように、両側端面部を構成するキャップ状のエンド部材３９，３９を設けた構成としている（図９（ｂ）参照）。これらエンド部材３９，３９は、戸側ベース部材３７Ａに設けられた止具止着箇所に止着される止具を介して戸側ベース部材３７Ａに固定される構成とされている。
なお、このように別体とされたエンド部材３９，３９によって保持凹部３８Ａの戸幅方向両側を区画した態様に代えて、戸側ベース部材３７Ａに一体的に両側端面部を設けた構成としてもよい。
また、このように区画された保持凹部３８Ａの上下方向に沿う深さ寸法や戸厚方向に沿う幅寸法、戸幅方向に沿う長さ寸法は、嵌め入れられる戸板１０Ａの上端部１５Ａの保持が可能なように適宜の寸法としてもよい。また、保持凹部３８Ａの深さ寸法は、上記同様、所望する戸板１０Ａの上下動の許容寸法に応じて適宜の寸法としてもよい。また、保持凹部３８Ａの幅寸法は、図９（ａ）に示すように、上ガイド部材２０Ａ及び下レール６を設置した状態で、戸板１０Ａを斜め状にしてその上端部１５Ａの嵌め入れが可能なように適宜の寸法としてもよい。
【００５９】
また、本実施形態では、この保持凹部３８Ａ内に、戸側レール部材３５Ａに対して戸板１０Ａを下方側に付勢する付勢部材４３Ａを設けた構成としている。本実施形態では、戸側ベース部材３７Ａの長手方向両端部のそれぞれに付勢部材４３Ａ，４３Ａを設けた構成としている。また、本実施形態では、これら付勢部材４３Ａ，４３Ａを、固定片部３７Ａａの下面側に設けた構成としている。また、これら付勢部材４３Ａ，４３Ａを、板ばね状としている。図例では、これら付勢部材４３Ａ，４３Ａを、戸側ベース部材３７Ａの長手方向に概ね沿う方向に長尺状とし、長手方向中央部位を固定片部３７Ａａに固定し、長手方向両端側が戸板１０Ａの上端面に弾性的に接触される構成とした例を示している。なお、付勢部材４３Ａ，４３Ａとしては、このような板ばね状とされたものに限られず、上記同様、圧縮コイルばねや他のばね部材、弾性部材等としてもよい。
【００６０】
また、本実施形態では、戸側ベース部材３７Ａに、閉鎖位置において壁側ベース部材２２の垂下片部２５及び立上片部を覆うように配されるカバー片部３７Ａｃを設けた構成としている。このカバー片部３７Ａｃは、戸厚方向に厚さ方向を沿わせた薄板状とされ、壁厚方向一方側の保持片部３７Ａｂに連なるように上方側に向けて延出するように設けられている。
また、戸側ベース部材３７Ａに、カバー片部３７Ａｃの上端部から壁厚方向他方側に向けて突出させるように覆い片部３７Ａｄを設けた構成としている。この覆い片部３７Ａｄは、上下方向に厚さ方向を沿わせた薄板状とされ、壁側ベース部材２２の水平片部２４の上面側に設けられた緩衝機構３０Ａ，３０Ｂの上方側を覆うように設けられている。
また、本実施形態では、この覆い片部３７Ａｄの下面側に、作用部４２，４２を有したトリガー部４０Ａ，４０Ｂを設けた構成としている。
【００６１】
また、これらトリガー部４０Ａ，４０Ｂを、上記した各緩衝機構３０Ａ，３０Ｂに対応させて、戸側ベース部材３７Ａの長手方向両端部、つまり、戸板１０Ａの上端側の戸幅方向両端部に位置するように設けた構成としている。また、これらトリガー部４０Ａ，４０Ｂを、上記第１実施形態とは、上下を反転させ、かつレール長手方向（戸幅方向）に反転させた向きとなるように設けた構成としている。つまり、これらトリガー部４０Ａ，４０Ｂの復帰部４１，４１及び作用部４２，４２を下方側に向けて突出させるように設けた構成としている。また、戸側ベース部材３７Ａの戸先側端部に、戸幅方向中央側に復帰部４１を位置させ、その戸幅方向外方側に作用部４２を位置させるように全開側トリガー部４０Ａを設た構成としている。また、戸側ベース部材３７Ａの戸尻側端部に、戸幅方向中央側に復帰部４１を位置させ、その戸幅方向外方側に作用部４２を位置させるように閉鎖側トリガー部４０Ｂを設けた構成としている。
【００６２】
上記構成とされた引戸装置１Ａの戸板１０Ａが開閉される際には、詳細な説明は省略するが、上記と概ね同様にして各緩衝機構３０Ａ，３０Ｂが作動され、以下のように減速がなされる。
つまり、図１０（ａ）に示すように、戸板１０Ａを開放側に向けて移動させ、全開側緩衝機構３０Ａのスライド体３２の第２突起部３４に、全開側トリガー部４０Ａの作用部４２が当接すれば、第１突起部３３が突出して作用部４２に係合する。これにより、全開側緩衝機構３０Ａが作動して減速と助勢とがなされ、戸板１０Ａが全開位置となる。
一方、図１０（ｂ）に示すように、戸板１０Ａを閉鎖側に向けて移動させ、閉鎖側緩衝機構３０Ｂのスライド体３２の第２突起部３４に、閉鎖側トリガー部４０Ｂの作用部４２が当接すれば、第１突起部３３が突出して作用部４２に係合する。これにより、閉鎖側緩衝機構３０Ｂが作動して減速と助勢とがなされ、戸板１０Ａが閉鎖位置となる。
【００６３】
なお、上記構成とされた引戸装置１Ａを設置する際には、以下のようにしてもよい。
例えば、図９（ａ）に示すように、上ガイド部材２０Ａ及び下レール６を設置した状態で、戸板１０Ａを斜め状にしてその上端部１５Ａを保持凹部３８Ａに嵌め入れ、戸車１１，１１を下レール６に係合させて戸板１０Ａを建て付けて設置するようにしてもよい。または、図９（ｂ）に示すように、一方のエンド部材３９を戸側ベース部材３７Ａから取り外した（脱離させた）状態で、保持凹部３８Ａの戸幅方向一方側開口から戸板１０Ａの上端部を戸幅方向に挿入させて建て付けるような態様等としてもよい。
【００６４】
上記構成とされた本実施形態に係る引戸装置１Ａにおいても、上記した第１実施形態と概ね同様の効果を奏する。
また、本実施形態では、壁側レール部材２１Ａと戸側レール部材３５Ａとを、これら壁側レール部材２１Ａ及び戸側レール部材３５Ａのそれぞれに対してスライド自在に結合された中間レール部材２７を介して結合した構成としている。従って、上記第１実施形態のように壁側レール部材２１（壁側レール２６）に対して戸側レール部材３５（戸側レール３６）を直接的にスライド自在に結合した構成としたものと比べて、戸側レール部材３５Ａを戸板１０Ａの戸尻側に設けることができる。これにより、全開位置に移動する戸板１０Ａの戸尻側の浮き上がりを抑制することができ、下レール６からの脱離等を抑制することができる。
【００６５】
なお、本実施形態では、３組のシングルスライドレール２６Ａ，２８，２９，３６を、設けた例を示しているが、２組のシングルスライドレールまたは４組以上のシングルスライドレールを設けた構成としてもよい。また、中間レール部材２７としては、このようなシングルスライドレールを複数段状に設けた態様に限られない。例えば、壁側レール（アウターレール）２６Ａと戸側レール（インナーレール）３６Ａとの間に中間レール部材２７を構成するセンターレールを設けた３メンバースライド型スライドレールとしてもよい。また、このような３メンバースライド型スライドレールとシングルスライドレールとを組み合わせた構成や、３メンバースライド型スライドレールを複数段状に設けた構成等としてもよい。また、本実施形態では、複数のスライドレール２６Ａ，２８，２９，３６を上下に積み重ねるように設けた例を示しているが、壁厚方向に重ね合わせるように設けた態様等としてもよい。
【００６６】
また、上記各実施形態において説明した互いに異なる構成を、適宜、組み替えたり、組み合わせたりして適用するようにしてもよい。
また、上記各実施形態では、全開側緩衝機構３０Ａが作動される際に、戸板１０，１０Ａの戸尻側端部に係合して戸板１０，１０Ａの戸尻側の浮き上がりを抑制する規制部材１８を設けた例を示しているが、このような規制部材１８を設けないようにしてもよい。
また、上記各実施形態では、戸側レール部材３５，３５Ａに、戸側レール部材３５，３５Ａに対して戸板１０，１０Ａを下方側に付勢する付勢部材４３，４３Ａを設けた例を示しているが、このような付勢部材４３，４３Ａを設けないようにしてもよい。
また、上記各実施形態では、戸側レール部材３５，３５Ａに、戸側レール部材３５，３５Ａに対する戸板１０，１０Ａの上下動を許容するように戸板１０，１０Ａの上端部（連結突部）１５，１５Ａを保持する保持部（保持凹部）３８，３８Ａを設けた例を示しているが、このような態様に限られない。例えば、戸板１０，１０Ａを戸側レール部材３５，３５Ａに対して上下動不能に保持させた態様等としてもよい。
【００６７】
また、上記各実施形態では、壁側レール部材２１，２１Ａに緩衝機構３０Ａ，３０Ｂを設け、戸側レール部材３５，３５Ａに作用部４２，４２を設けた例を示しているが、これらを逆側に設けるようにしてもよい。つまり、壁側レール部材２１，２１Ａに作用部４２，４２を設け、戸側レール部材３５，３５Ａに緩衝機構３０Ａ，３０Ｂを設けた態様としてもよい。この場合は、当該引戸装置１，１Ａの各機器や各部材、各部を適宜、必要に応じて変形するようにしてもよい。
また、上記各実施形態では、閉鎖位置に移動する戸板１０，１０Ａを減速させる緩衝機構３０Ｂと全開位置に移動する戸板１０，１０Ａを減速させる緩衝機構３０Ａとを設け、これらに応じた作用部４２，４２を設けた例を示しているが、このような態様に限られない。閉鎖位置及び全開位置のうちの少なくとも一方側に移動する戸板１０，１０Ａを減速させる緩衝機構と、これに応じた作用部と、を設けた態様としてもよい。
【００６８】
また、上記各実施形態では、緩衝機構３０Ａ，３０Ｂを、開口幅方向に伸縮するロッドを設けたシリンダー３１，３１を備えた構成とした例を示しているが、このような態様に限られない。例えば、壁厚方向に沿う軸回りに回転する作動アームを備えた緩衝機構等としてもよく、これに応じた作用部を設けた構成としてもよい。また、上記のような戸板１０，１０Ａの移動をアシスト（助勢）する機能（引込機能）を有したものに限られず、少なくとも戸板１０，１０Ａを減速させる機能を有したものであればよい。上記各実施形態に係る引戸装置１，１Ａに適用される緩衝機構３０Ａ，３０Ｂやその作用部４２，４２、上ガイド部材２０，２０Ａ、下レール６、戸板１０，１０Ａとしては、その他、種々の変形が可能である。
【符号の説明】
【００６９】
１，１Ａ      引戸装置
６            下レール
１０，１０Ａ  戸板
２０，２０Ａ  上ガイド部材
２１，２１Ａ  壁側レール部材
２７          中間レール部材
３０Ａ        全開側緩衝機構（緩衝機構）
３０Ｂ        閉鎖側緩衝機構（緩衝機構）
３５，３５Ａ  戸側レール部材
３８，３８Ａ  保持凹部（保持部）
４２          作用部
４３，４３Ａ  付勢部材
２            壁体
３            開口
【図１】
0006722885.tif 000002
【図２】
0006722885.tif 000003
【図３】
0006722885.tif 000004
【図４】
0006722885.tif 000005
【図５】
0006722885.tif 000006
【図６】
0006722885.tif 000007
【図７】
0006722885.tif 000008
【図８】
0006722885.tif 000009
【図９】
0006722885.tif 000010
【図１０】
0006722885.tif 000011